(57)【要約】【課題】引戸の走行時、磁力により床側から突出するガイド突起の衝突音を減音して引戸を静かに案内する引戸ガイド装置を提供する。【解決手段】引戸ガイド装置Ｇは、扉側ガイドｇ２の当接部４０に、ガイド突起１５が突き当たると衝突音が共振し合って吸収する空気層４５を設け、しかも、ガイド突起が突き当たる空気層の外側の板状部位４０ａを、ガイド突起が突き当たると弾性変形して衝撃を緩衝する厚さに成形した減音構造を備え、引戸１０の走行時に、ガイド突起が当接部の外側の板状部位に突き当たると、外側の板状部位が弾性変形して衝撃を緩衝することによりガイド突起の衝突音を軽減すると共に、空気層の中で衝突音が共振し合って外部へ伝搬するのを抑えられることによりガイド突起の衝突音を効果的に減音する構成になっている。【選択図】          図１
2015113664.tif 000002
【特許請求の範囲】
【請求項１】
引戸を開閉方向に走行自在に吊持する一方、引戸が走行する軌道下の床面に磁力によって出没自在に間隔をおいて挿設した床側ガイドのガイド突起を、引戸の下端面に形成した扉側ガイドの走行溝に突出状態で係合して引戸の走行を案内する引戸ガイド装置において、
前記扉側ガイドは、前記走行溝の両端溝部に突出状態で前記ガイド突起が係合すると、その突出状態の前記ガイド突起が突き当たる当接部を備え、該当接部に前記ガイド突起が突き当たる衝突音を共振し合って減音する空気層を形成してなることを特徴とする、引戸ガイド装置。
【請求項２】
前記扉側ガイドにおいて、前記当接部は、前記ガイド突起が突き当たる前記空気層の厚さ方向外側の部位を、前記ガイド突起が突き当たると弾性変形して衝撃を緩衝する厚さに成形してなることを特徴とする、請求項１に記載の引戸ガイド装置。
【請求項３】
前記扉側ガイドにおいて、前記当接部は、前記ガイド突起が突き当たる前記空気層の厚さ方向外側の部位を間に挟んだ幅方向両側に一対のスリットを設け、それらスリット間に前記ガイド突起が突き当たると弾性変形して衝撃を緩衝する弾性部を形成してなることを特徴とする、請求項１に記載の引戸ガイド装置。
【請求項４】
前記扉側ガイドにおいて、前記当接部は、前記ガイド突起が突き当たる前記空気層の厚さ方向外側の部位に外形が舌片状の切り込みを入れて片持ち状態の弾性片を設け、前記ガイド突起が前記弾性片に突き当たると該弾性片が撓んで衝撃を緩衝する構成としてなることを特徴とする、請求項１に記載の引戸ガイド装置。
【請求項５】
前記扉側ガイドにおいて、前記当接部は、前記ガイド突起が突き当たる外側の部位と内側の部位とで覆った空洞を形成し、その空洞に多孔質部材を内設して該多孔質部材の中に含む多数の空穴を空気層として構成してなることを特徴とする、請求項１に記載の引戸ガイド装置。
【請求項６】
引戸を開閉方向に走行自在に吊持する一方、引戸が走行する軌道下の床面に磁力によって出没自在に間隔をおいて挿設した床側ガイドのガイド突起を、引戸の下端面に形成した扉側ガイドの走行溝に突出状態で係合して引戸の走行を案内する引戸ガイド装置において、
前記扉側ガイドは、前記走行溝の両端溝部に突出状態で前記ガイド突起が係合すると、その突出状態の前記ガイド突起が突き当たる当接部を備え、該当接部は、前記ガイド突起が突き当たる外側の部位と内側の部位とで覆った空洞を形成し、その空洞に衝撃吸収材を内設して前記ガイド突起が前記衝撃吸収材の外側の部位に突き当たると衝撃を緩衝する構成としてなることを特徴とする、引戸ガイド装置。
【発明の詳細な説明】
【技術分野】
【０００１】
本発明は、引戸レール等で走行自在に吊持した引戸を開閉時に横振れしないで開閉方向に直進するように案内する引戸ガイド装置に関する。
【背景技術】
【０００２】
従来、この種の引戸ガイド装置の中には、引戸が走行する軌道下の床面に間隔をおいて取付穴を凹設し、それら取付穴に先端に磁石を有したガイドピン等のガイド突起を出没自在に挿設する一方、引戸の下端面に凹設した細長い走行溝の戸先と戸尻側に、磁石を有した磁着体を配設し、開閉時、引戸側の磁着体が床側のガイド突起の上に至ると、磁力によりガイド突起を吸引して走行溝に係合し、引戸が横振れしないで開閉方向に直進するように案内する構造にしたものがある（特許文献１参照）。
【先行技術文献】
【特許文献】
【０００３】
【特許文献１】特開平８−３２６４０２号公報
【発明の概要】
【発明が解決しようとする課題】
【０００４】
しかし、従来の引戸ガイド装置では、引戸の走行時、磁力によりガイド突起を吸引して取付穴から突出させ、先端を走行溝に係合することにより引戸の走行を案内するが、引戸側の磁着体が床側のガイド突起の上に至ると、そのたびに吸引したガイド突起の先端が磁着体に衝突し、その衝突音が広く響きわたって不快な騒音になっているという課題があった。
【０００５】
そこで、本発明の目的は、引戸の走行時、磁力により床側から突出するガイド突起の衝突音を減音して引戸を静かに案内する引戸ガイド装置を提供することにある。
【課題を解決するための手段】
【０００６】
請求項１に記載の発明は、たとえば以下に示す図示実施の形態のとおり、引戸１０を開閉方向に走行自在に吊持する一方、引戸１０が走行する軌道下の床面ｆに磁力によって出没自在に間隔をおいて挿設した床側ガイドｇ１のガイド突起１５を、引戸１０の下端面１０ａに形成した扉側ガイドｇ２の走行溝２０に突出状態で係合して引戸１０の走行を案内する引戸ガイド装置Ｇにおいて、前記扉側ガイドｇ２は、前記走行溝２０の両端溝部２０ａに突出状態で前記ガイド突起１５が係合すると、その突出状態の前記ガイド突起１５が突き当たる当接部４０を備え、該当接部４０に前記ガイド突起１５が突き当たる衝突音を共振し合って減音する空気層４５を形成してなることを特徴とする。
【０００７】
請求項２に記載の発明は、請求項１に記載の引戸ガイド装置において、たとえば以下に示す図示実施の形態のとおり、前記扉側ガイドｇ２において、前記当接部４０は、前記ガイド突起１５が突き当たる前記空気層４５の厚さ方向外側の部位を、前記ガイド突起１５が突き当たると弾性変形して衝撃を緩衝する厚さに成形してなることを特徴とする。
【０００８】
請求項３に記載の発明は、請求項１に記載の引戸ガイド装置において、たとえば以下に示す図示実施の形態のとおり、前記扉側ガイドｇ２において、前記当接部４０は、前記ガイド突起１５が突き当たる前記空気層４５の厚さ方向外側の部位４０ａを間に挟んだ幅方向両側に一対のスリット５１を設け、それらスリット５１間に前記ガイド突起１５が突き当たると弾性変形して衝撃を緩衝する弾性部５２を形成してなることを特徴とする。
【０００９】
請求項４に記載の発明は、請求項１に記載の引戸ガイド装置において、たとえば以下に示す図示実施の形態のとおり、前記扉側ガイドｇ２において、前記当接部４０は、前記ガイド突起１５が突き当たる前記空気層４５の厚さ方向外側の部位４０ａに外形が舌片状の切り込みを入れて片持ち状態の弾性片５３を設け、前記ガイド突起１５が前記弾性片５３に突き当たると該弾性片５３が撓んで衝撃を緩衝する構成としてなることを特徴とする。
【００１０】
請求項５に記載の発明は、請求項１に記載の引戸ガイド装置において、たとえば以下に示す図示実施の形態のとおり、前記扉側ガイドｇ２において、前記当接部４０は、前記ガイド突起１５が突き当たる外側の部位４０ａと内側の部位４０ｂとで覆った空洞４９を形成し、その空洞４９に多孔質部材５０を内設して多孔質部材５０の中に含む多数の空穴を空気層として構成してなることを特徴とする。
【００１１】
請求項６に記載の発明は、たとえば以下に示す実施の形態のとおり、引戸１０を開閉方向に走行自在に吊持する一方、引戸１０が走行する軌道下の床面ｆに磁力によって出没自在に間隔をおいて挿設した床側ガイドｇ１のガイド突起１５を、引戸１０の下端面１０ａに形成した扉側ガイドｇ２の走行溝２０に突出状態で係合して引戸１０の走行を案内する引戸ガイド装置Ｇにおいて、前記走行溝２０の両端溝部２０ａに突出状態で前記ガイド突起１５が係合すると、その突出状態の前記ガイド突起１５が突き当たる当接部４０を備え、該当接部４０は、前記ガイド突起１５が突き当たる外側の部位と内側の部位とで覆った空洞を形成し、その空洞にゴム、ゲル、緩衝液などの衝撃吸収材を内設して前記ガイド突起１５が前記衝撃吸収材の外側の部位に突き当たると衝撃を緩衝する構成としてなることを特徴とする、引戸ガイド装置。
【発明の効果】
【００１２】
請求項１に記載の発明によれば、扉側ガイドの当接部に、ガイド突起が突き当たるとその衝突音が共振し合って吸収する空気層を形成するから、ガイド突起が当接部に突き当たっても、その衝突音が空気層の中で共振し合って外部へ伝搬するのを抑えられることにより、ガイド突起の衝突音を効果的に減音することができ、その結果、引戸の走行時にガイド突起の衝突音が広く響きわたり不快な騒音になるのを防止して静かに引戸の走行を案内することができる。
【００１３】
請求項２に記載の発明によれば、扉側ガイドにおいて、当接部は、ガイド突起が突き当たる空気層の厚さ方向外側の部位を、ガイド突起が突き当たると弾性変形して衝撃を緩衝する厚さに成形するため、引戸の走行時に、ガイド突起が当接部の外側の部位に突き当たると、外側の部位が弾性変形して衝撃を緩衝し、これにより、ガイド突起の衝突音を軽減し、しかも、空気層の中で衝突音が共振し合って外部へ伝搬するのを抑えられ、これにより、ガイド突起の衝突音を効果的に減音することができる。
【００１４】
請求項３に記載の発明によれば、扉側ガイドにおいて、当接部は、ガイド突起が突き当たる空気層の厚さ方向外側の部位を間に挟んだ幅方向両側に一対のスリットを設け、それらスリット間にガイド突起が突き当たると弾性変形して衝撃を緩衝する弾性部を形成した構成であるため、引戸の走行時、ガイド突起が当接部のスリット間の弾性部に突き当たると、その弾性部が弾性変形して衝突の衝撃を緩衝し、これにより、ガイド突起の衝突音が軽減され、しかも、空気層の中で衝突音が共振し合って外部へ伝搬するのを抑えられ、これにより、ガイド突起の衝突音をより効果的に減音することができる。
【００１５】
請求項４に記載の発明によれば、扉側ガイドにおいて、当接部は、ガイド突起が突き当たる空気層の厚さ方向外側の部位に外形が舌片状の切り込みを入れて片持ち状態の弾性片を設け、ガイド突起が弾性片に突き当たると該弾性片が撓んで衝撃を緩衝する構成であるため、引戸の走行時、ガイド突起が当接部の弾性片に突き当たると、弾性片が撓んで衝突の衝撃を緩衝し、これにより、ガイド突起の衝突音が軽減され、しかも、空気層の中で衝突音が共振し合って外部へ伝搬するのを抑えることにより、ガイド突起の衝突音を効果的に減音することもできる。
【００１６】
請求項５に記載の発明によれば、扉側ガイドにおいて、当接部は、ガイド突起が突き当たる外側の部位と内側の部位とで覆った空洞を形成し、その空洞に多孔質部材を内設して多孔質部材の中に含む多数の空穴を空気層として構成するから、引戸の走行時、ガイド突起が当接部の外側の部位に突き当たると、外側の部位が弾性変形して衝撃を緩衝し、従って、ガイド突起による衝突の衝撃を吸収することによって衝突音を軽減すると共に、多孔質部材の空穴中にある多数の空気層が衝突音を吸収して効果的に減音することができる。
【００１７】
請求項６に記載の発明によれば、扉側ガイドにおいて、当接部は、ガイド突起が突き当たる外側の部位と内側の部位とで覆った空洞にゴム、ゲル、緩衝液などの衝撃吸収材を内設して構成するため、引戸の走行時、ガイド突起が当接部の外側の部位に突き当たると、その衝突の衝撃を衝撃吸収材が吸収することにより緩衝し、これによって、ガイド突起の衝突音を軽減緩和して減音することができる。
【図面の簡単な説明】
【００１８】
【図１】本発明の第１実施形態の引戸ガイド装置の内部構造を、ガイド突起が突出状態の引戸下部を破断して示す縦断面図である。
【図２】引戸ガイド装置の全体を示す斜視図である。
【図３】引戸ガイド装置を備えた扉構造体を、下部側を一部断面にして引戸の全開状態で示す正面図である。
【図４】引戸ガイド装置の内部構造を、ガイド突起が収納状態において引戸下部を破断して示す縦断面図である。
【図５】（ａ）磁着手段の一例を示す端面図、（ｂ）その内部構造を示すＡ−Ａ断面図である。
【図６】（ａ）磁着手段の一例の内部構造を示すＢ−Ｂ断面図、（ｂ）その磁着手段の側面図である。
【図７】吸着台を所定傾き角度位置に保持した状態の磁着手段を、斜め下方から見て示す斜視図である。
【図８】（ａ）磁着手段の他例の内部構造を示すＣ−Ｃ断面図、（ｂ）その磁着手段の側面図である。
【図９】（ａ）磁着手段の他例の内部構造を示すＤ−Ｄ断面図、（ｂ）その磁着手段の側面図である。
【図１０】（ａ）磁着手段の他例の内部構造を示すＥ−Ｅ断面図、（ｂ）その磁着手段の側面図である。
【図１１】（ａ）図１０と同じ磁着手段の他例を示す端面図、（ｂ）その磁着手段の内部構造を示すＦ−Ｆ断面図である。
【図１２】（ａ）磁着手段の他例の内部構造を示すＧ−Ｇ断面図、（ｂ）その磁着手段の側面図である。
【図１３】本発明の他の実施形態の引戸ガイド装置を示す斜視図である。
【図１４】本発明の更に別の実施形態の引戸ガイド装置を示す斜視図である。
【発明を実施するための形態】
【００１９】
以下、図面を参照しつつ、本発明の実施形態について説明する。
【００２０】
図１は本発明に係る第１実施形態の引戸ガイド装置の内部構造を示し、図２は引戸ガイド装置の全体を示し、図３は引戸ガイド装置を備えた扉構造体を引戸の全開状態で示している。図示例の扉構造体は、天井側に固定した引戸レールに戸車を介して係合した引戸１０を図中左右の開閉方向に走行自在に吊持し、開閉時は、ハンドル１１を持って引戸１０を開閉方向に走行して床Ｆと仕切壁Ｗで囲んだ開口部を開閉する構造になっている。そこで、引戸１０をスライドさせて開口部を開閉するとき、本発明の引戸ガイド装置Ｇを作動し、開閉方向に走行する引戸１０が横振れしないで直進するように案内する。
【００２１】
引戸１０は、例えば木製パネルで、上下の横框と、左右の縦框と、各框間の縦桟および横桟とで格子状に組んだ枠体を間に挟んで一対の鏡板材を張り合わせて組み立て、下部側の横框には、下端面１０ａの長さ方向に沿って取付凹溝１２を穿設する。
【００２２】
引戸ガイド装置Ｇは、床Ｆに配設する床側ガイドｇ１と、引戸１０の取付凹溝１２に内設する扉側ガイドｇ２とからなる。
【００２３】
床側ガイドｇ１は、複数のガイド体ａ・ｂ・ｃからなる。ガイド体ａ・ｂ・ｃは、図１〜図４に示すように、それぞれ固定筒１３と、位置決めケース１４と、位置決めケース１４に挿設するガイド突起１５を備える。固定筒１３は、内周が八面体の樹脂製円管で、外周面に斜め下向きに多数の引っ掛け爪１３ａ…を突設している。位置決めケース１４は、樹脂製で、上下両端を開口し、固定筒１３の内形に合わせて外周が八面体状のケース本体部１４ａと、ケース本体部１４ａの図中上端に開いた突出口１９の周縁から円形鍔状に延びるフラットな取付板部１４ｂとからなる。ケース本体部１４ａは、内側に重ねて上側開口が突出口１９の筒状ガイド穴２１を形成している。
【００２４】
ガイド突起１５は、それぞれ位置決めケース１４のガイド穴２１に入れ子状に重ねて組み入れる円筒状の第１凸状部材２４と、第１凸状部材２４に入れ子状に重ねて組み入れるピン状の第２凸状部材２５とからなる。
【００２５】
そこで、ガイド体ａ・ｂ・ｃは、固定筒１３を、引戸１０が走行する軌道の下の床面ｆに間隔をあけて予め凹設した取付穴ｘ・ｙ・ｚに嵌め入れ、穴周壁に引っ掛け爪１３ａ…を引っ掛けて抜け止め状態で内設し、固定筒１３内に位置決めケース１４のケース本体部１４ａを嵌め込み、取付板部１４ｂを床面ｆに殆ど段差なく載せた状態で位置決めケース１４を固定筒１３に嵌着する。以って、戸先側のガイド体ａと中間のガイド体ｂと戸尻側のガイド体ｃをそれぞれ組み立て、引戸１０が走行移動する軌道下の床面ｆに床側ガイドｇ１を形成する。
【００２６】
他方、扉側ガイドｇ２は、取付凹溝１２において、両端の凹溝１２ａに内設する一対の磁着手段２９・３０と、両端凹溝１２ａ間の中間凹溝１２ｂに敷設するガイドレール１６とからなる。
【００２７】
磁着手段２９・３０は、それぞれ支持ケース３５と、支持ケース３５に格納する吸着台１７と、吸着台１７に付設する磁石Ｍを備える。支持ケース３５は、樹脂製で、取付凹溝１２の両端凹溝１２ａでの溝形状に合わせて細長い直方形の箱体をなし、一対の対向側板部３５ａ間に走行溝２０の両端溝部２０ａを形成し、図４、図５、図６および図７に示すように、上側に吸着台１７の取付ロ３２を開けると共に底部３５ｂに昇降口３４を開け、長さ方向先端の上板片部３５ｃにねじ挿通穴４１設ける一方、基端側には、一対の対向側板部３５ａの上側にそれぞれ軸受穴４２を穿設すると共に平行な一対の連結凸部３５ｄを角状に突設している。
【００２８】
支持ケース３５において、対向側板部３５ａには、軸受穴４２の下方の内側板面に、吸着台１７を所定の傾斜角度位置に受け止めるために上端面が底部３５ｂに向かうに従い次第に低くなるように傾斜した受け止め段部４４を形成する一方、上縁には、吸着台１７の飛び出しを規制する押えリブ３５ｅを内向きに凸設している。加えて、対向側板部３５ａには、それぞれ底部３５ｂ側の下端縁４９に、突出状態で走行溝２０の両端溝部２０ａに係合するガイド突起１５を中間溝部２０ｂへ案内する突起案内部１８が設けられている。
【００２９】
吸着台１７は、樹脂製で、磁石Ｍを入れる横長箱形の磁石収納部３９を設け、基端に揺動支点の凸部１７ａを設ける一方、底面に先端１７ｂがショベル状に屈曲した当接部４０を設けて全体をゴンドラ状に成形している。磁石収納部３９には、幅方向に対向した側壁上縁に、磁石Ｍの飛び出しを規制する押えリブ１７ｃを互いに内向きに突設している。加えて、吸着台１７は、当接部４０の基端寄りに、当接部４０が昇降口３４から突出する傾き角度位置で支持ケース３５の受け止め段部４４に係止した状態にあるとき、床面ｆと平行な向きになる平面部１７ｄを底面に形成している。底面の平面部１７ｄと基端との間には受け止め段部４４に係止する係止段部が設けられている。
【００３０】
ここで、本発明の引戸ガイド装置Ｇにおいて、扉側ガイドｇ２の吸着台１７は、突出状態のガイド突起１５が突き当たる当接部４０内に、そのガイド突起１５の衝突音が共振し合って外部へ伝搬するのを抑制する空気層４５を設けた減音構造になっている。しかも、当接部４０は、ガイド突起１５が突き当たる外側の板状部位４０ａと内側の板状部位４０ｂ間に空気層４５を有する中空壁で、ガイド突起１５が突き当たる外側の板状部位４０ａを、ガイド突起１５が突き当たると弾性変形して衝撃を緩衝する厚さに成形している。なお、図示例の当接部４０は、幅方向左右に空気層４５が外部と通ずる中空壁になっている。
【００３１】
磁石Ｍは、厚肉な矩形板状の強磁性の第１磁石ｍ１と、同じ矩形板状でも弱磁性の第２磁石ｍ２の２体に分けてなる。
【００３２】
そこで、磁着手段２９・３０は、第１磁石ｍ１を磁石収納部３９の先端側に嵌め込み、基端側に第２磁石ｍ２を嵌め込んで磁石Ｍを吸着台１７に搭載し、凸部１７ａを軸受穴４２に嵌合して基端を支持ケース３５に枢支し吸着台１７を支持ケース３５内で揺動自在に片持ちする一方、係止段部１７ｅを受け止め段部４４に係止し、突出状態のガイド突起１５が当たる当接部４０が昇降口３４から所定高さ突出した傾き角度位置に保持して組み立ててなる。
【００３３】
ガイドレール１６は、図２に示すように、略角パイプ状をなすレール本体１６ａ内に走行溝２０の中間溝部２０ｂを形成し、中間溝部２０ｂを挟んだ両側に係止片１６ｂを平行に列設する。一方、レール本体１６ａの上板部１６ｃには、幅方向両側の角縁を磁着手段２９・３０の連結凸部３５ｄの凸形状に合わせて屈曲させて連結用の係合段部１６ｄを形成している。
【００３４】
そこで、扉側ガイドｇ２は、引戸１０の取付凹溝１２の両端凹溝１２ａ内に互いの連結凸部３５ｄを向き合わせて磁着手段２９・３０を嵌め込み、連結凸部３５ｄにガイドレール１６の係合段部１６ｄを係合して互いに一直線に合わせた状態で、ガイドレール１６を磁着手段２９・３０に連結してから、上板部３５ｃを溝底面にねじ止めして組み立て扉側ガイドｇ２を取付凹溝１２に内設する。この組立初期状態において、扉側ガイドｇ２は、磁着手段２９・３０の吸着台１７を、受け止め段部４４に係止段部を係止して当接部４０が昇降口３４から所定高さ突出した傾き角度位置において保持する。
【００３５】
さて、図示扉構造体では、閉時、図３に示すように、全開した引戸１０を、ハンドル１１を持って矢示する閉方向に引くと、引戸レールの案内で戸車を転動しながら閉方向に引戸１０が動き出して開口部を閉じ始めるが、この閉止途中、引戸ガイド装置Ｇは、床側ガイドｇ１の中間ガイド体ｂにおいて、入れ子状に立ち上がったガイド突起１５の第２凸状部材２５の頭部２５ａがガイドレール１６の係止片１６ｂに係止して引戸１０を閉方向に案内する。
【００３６】
それから、引戸１０が閉方向にさらに直進し、扉側ガイドｇ２の戸尻側磁着手段３０が床側ガイドｇ１の中間ガイド体ｂに近づいて、図１に示すように、吸着台１７の磁石収納部３９の先端側に嵌め込んだ磁石Ｍの第１磁石ｍ１がガイド突起１５の上に至ると、磁力により第２の凸状部材２５が第１凸状部材２４から引き上げられる。第２凸状部材２５が引き上がると、外側の第１凸状部材２４が位置決めケース１４から、入れ子式に立ち上がり、第２凸状部材２５の頭部２５ａが吸着台１７の当接部４０に突き当たる。すると、ガイド突起１５は、引戸１０の走行に従い、吸着台１７の磁石収納部３９の基端側に嵌め込んだ磁石Ｍの第２磁石ｍ２で吸引して突出した状態のまま、第２凸状部材２５の頭部２５ａを、吸着台１７の底面を滑らしながら、突起案内部１８で案内して走行溝２０の両端溝部２０ａに係合してから突起案内部１８に係止し、そのままガイドレール１６の係止片１６ｂに係止する。一方、そのとき、ガイドレール１６の戸尻側で突起案内部１８に係止した中間ガイド体ｂの第２凸状部材１５は、昇降口３４を通って戸尻側磁着手段３０から外れる。従って、その後、引戸１０は、戸先側ガイド体ａのガイド突起１５の案内で走行して開口部を全閉する。
【００３７】
以上のように引戸ガイド装置Ｇでは、引戸１０の走行時、扉側ガイドｇ２の磁石Ｍの磁力によりガイド突起１５の第２凸状部材２５と第１凸状部材２４を床側ガイドｇ１の位置決めケース１４の突出口１９から順次、入れ子式に立ち上げて、第２凸状部材２５の頭部２５ａを扉側ガイドｇ２の当接部４０に当接し、引戸１０の走行に従い、突起案内部１８の案内で走行溝２０の両端溝部２０ａに係合してから、そのままガイドレール１６の中間溝部２０ｂに係合して係止片１６ｂに係止することにより、引戸１０が横振れしないで開閉方向に直進するように案内する。ところが、この引戸１０の走行時に、扉側ガイドｇ２の磁石Ｍの磁力によりガイド突起１５の頭部２５ａが、吸着台１７の当接部４０に突き当たり、そのたびに衝突音が不快な騒音となって発生する恐れがあることになる。
【００３８】
しかし、本発明の引戸ガイド装置Ｇは、扉側ガイドｇ２の当接部４０に、ガイド突起１５が突き当たるとその衝突音が共振し合って吸収する空気層４５を設け、しかも、ガイド突起１５が突き当たる空気層４５の外側の板状部位４０ａを、ガイド突起１５が突き当たると弾性変形して衝撃を緩衝する厚さに成形した減音構造であるため、引戸１０の走行時に、ガイド突起１５が当接部４０の外側の板状部位４０ａに突き当たると、外側の板状部位４０ａが弾性変形して衝撃を緩衝し、これにより、ガイド突起１５の衝突音を軽減し、しかも、空気層４５の中で衝突音が共振し合って外部へ伝搬するのを抑えられ、これにより、ガイド突起１５の衝突音を効果的に減音することができ、その結果、ガイド突起１５の衝突音が広く響きわたり不快な騒音になるのを防止して静かに引戸１０の走行を案内することができる。
【００３９】
ところで、上記引戸ガイド装置Ｇにおいて、扉側ガイドｇ２の当接部４０は、幅方向両側面を開放して空気層４５が外部と通ずる中空壁からなる減音構造にするが、本発明において、当接部４０は、図８に示すように、ガイド突起１５が突き当たる外側の板状部位４０ａと磁石Ｍとで覆って空気層４５を形成し、外部と遮断した減音構造にすることもできる。図示他例でも、当接部４０は、ガイド突起１５が突き当たる空気層４５の厚さ方向外側の板状部位４０ａを、ガイド突起１５が突き当たると弾性変形して衝突の衝撃を緩衝する厚さの薄板状に形成する。
【００４０】
従って、図示他例の引戸ガイド装置Ｇでは、引戸１０の走行時、ガイド突起１５が当接部４０の薄板状の外側部位４０ａに突き当たると、その外側部位４０ａが弾性変形して衝突の衝撃を緩衝し、これにより、ガイド突起１５の衝突音が軽減され、しかも、空気層４５の中で衝突音が共振し合い吸収され尽くされて外部へは伝搬されず、これにより、ガイド突起１５の衝突音を効果的に減音することができる。
【００４１】
なお、本発明において、扉側ガイドｇ２の当接部４０は、上記図８に示したように、ガイド突起１５が突き当たる外側の板状部位４０ａと内側の板状部位４０ｂとで覆った空洞４９を形成し、更に図９に示すように空洞４９に多孔質部材５０を内設して多孔質部材５０の中に含む多数の空穴を空気層として構成する減音構造にすることもできる。図示他例でも、当接部４０は、ガイド突起１５が突き当たる空洞４９の外側の板状部位４０ａを、ガイド突起１５が突き当たると弾性変形して衝突の衝撃を緩衝する厚さの薄板状に形成する。多孔質部材５０には、ウレタンなどの発泡性の高い素材やスポンジなどを用いる。
【００４２】
従って、図示他例の引戸ガイド装置Ｇでは、引戸１０の走行時、ガイド突起１５が当接部４０の外側の板状部位４０ａに突き当たると、外側の板状部位４０ａが弾性変形して衝撃を緩衝し、従って、ガイド突起１５による衝突の衝撃を吸収することによって衝突音を軽減すると共に、多孔質部材５０の空穴中にある多数の空気層４５が衝突音を吸収して効果的に減音することができる。
【００４３】
上記実施形態において、扉側ガイドｇ２の当接部４０は、ガイド突起１５が突き当たる空気層４５の厚さ方向外側の板状部位４０ａを、ガイド突起１５が突き当たると弾性変形して衝突の衝撃を緩衝する薄板状に形成する減音構造にしたが、本発明において、当接部４０は、図１０および図１１に示すように、空気層４５の外側の板状部位４０ａを間に挟んだ幅方向両側に一対のスリット５１を設け、それらスリット５１間にガイド突起１５が突き当たると弾性変形して衝撃を緩衝する弾性部５２を形成した減音構造にすることもできる。
【００４４】
従って、図示他例の引戸ガイド装置Ｇでは、引戸１０の走行時、ガイド突起１５が当接部４０のスリット５１間の弾性部５２に突き当たると、その弾性部５２が弾性変形して衝突の衝撃を緩衝し、これにより、ガイド突起１５の衝突音が軽減され、しかも、空気層４５の中で衝突音が共振し合って外部へ伝搬するのを抑えられ、これにより、ガイド突起１５の衝突音を効果的に減音することができる。
【００４５】
また、本発明において、扉側ガイドｇ２の当接部４０は、図１２に示すように、ガイド突起１５が突き当たる空気層４５の厚さ方向外側の板状部位４０ａに外形が舌片状の切り込みを入れて片持ち状態の弾性片５３を設け、ガイド突起１５が弾性片５３に突き当たると弾性片５３が撓んで衝撃を緩衝する減音構造にすることもできる。
【００４６】
従って、図示他例の引き戸ガイド装置Ｇでは、引戸１０の走行時、ガイド突起１５が当接部４０の弾性片５３に突き当たると、弾性片５３が撓んで衝突の衝撃を吸収緩衝し、これにより、ガイド突起１５の衝突音が軽減され、しかも、空気層４５の中で衝突音が共振し合って外部へ伝搬するのを抑えることにより、ガイド突起１５の衝突音を効果的に減音することもできる。
【００４７】
ところで、上記引戸ガイド装置Ｇは、扉側ガイドｇ２において、磁石Ｍを付設した揺動自在の吸着台１７に床側ガイドｇ１のガイド突起１５が突き当たる当接部４０を設け、その可動な当接部４０にガイド突起１５の衝突音が共振し合う空気層４５を形成して減音するが、本発明は、これに限らず、図１３に示す以下の実施形態のとおり、ガイド突起１５が突き当たる当接部４０が固定の扉側ガイドｇ２に設け、その当接部４０にガイド突起１５の衝突音が共振し合う空気層４５を形成して減音する構成にすることもできる。
【００４８】
図示他例において、扉側ガイドｇ２は、引戸１０の下端面１０ａに凹設した取付凹溝１２において、両端の凹溝１２ａに内設する一対の磁着手段５９・６０と、両端凹溝１２ａ間の中間凹溝に敷設するガイドレール５６とからなる。磁着手段５９・６０は、両端凹溝１２ａでの溝形状に合わせて断面コ形状のガイド本体５４と、ガイド本体５４のウェブ内面に付着する磁石Ｍを備える。ガイド本体５４は、弾性を有する樹脂製で一対の対向側板部５４ａ間に走行溝２０の両端溝部２０ａを形成している。ガイドレール５６は、取付凹溝１２における中間凹溝での溝形状に合わせて、磁性体の鉄板を下面開放の断面コ形に曲げ成形したャンネル材で、内部に走行溝２０の中間溝部２０ｂを形成している。この扉側ガイドｇ２は、取付凹溝１２の両端凹溝１２ａに磁着手段５９・６０を嵌め込み、それらにガイドレール５６を連結して中間凹溝に嵌め込み引戸１０の下端面１０ａに組み付けてなる。
【００４９】
そこで、図示他例の引戸ガイド装置Ｇは、扉側ガイドｇ２のガイド本体５４において、磁石Ｍの下方に間隔をあけて弾性板部５５を設け、走行溝２０の両端溝部２０ａに突出状態でガイド突起１５が係合するとそれが突き当たる当接部４０を形成し、当接部４０内にガイド突起１５の衝突音が共振し合って外部へ伝搬するのを抑制する空気層４５を設けた減音構造になっている。しかも、当接部４０は、弾性板部５５をガイド突起１５が突き当たると弾性変形して衝撃を緩衝する厚さの薄板状に形成する。
【００５０】
従って、図示他例の引戸ガイド装置Ｇでは、引戸１０の走行時、ガイド突起１５が当接部４０の弾性板部５５に突き当たると、その弾性板部５５が弾性変形して衝突の衝撃を緩衝し、これにより、ガイド突起１５の衝突音が軽減され、しかも、空気層４５の中で衝突音が共振し合って外部へ伝搬するのを抑えることにより、ガイド突起１５の衝突音を効果的に減音することができる。
【００５１】
また、本発明は、図１４に示す以下の実施形態のとおり、ガイド突起１５が突き当たる当接部４０を固定の扉側ガイドｇ２に設け、その当接部４０に空気層４５を形成してガイド突起１５の衝突音を減音する構成にすることもできる。
【００５２】
図示他例において、床側ガイドｇ１のガイド突起１５は、先端の頭部２５ａの下部外周に係止溝２５ｂを有したピン状に形成する一方、扉側ガイドｇ２は、ガイド突起１５の突出高さに対応してガイド本体５４のウェブ内面に薄肉な磁石Ｍを付着し、その磁石Ｍの下方に間隔をあけて弾性板部５５を設け、走行溝２０の両端溝部２０ａに突出状態でガイド突起１５が係合するとそれが突き当たる当接部４０を形成し、その当接部４０内にガイド突起１５の衝突音が共振し合って外部へ伝搬するのを抑制する空気層４５を設ける減音構造になっている。
【００５３】
従って、図示他例の引戸ガイド装置Ｇでも、引戸１０の走行時、ガイド突起１５が当接部４０の弾性板部５５に突き当たると、その弾性板部５５が弾性変形して衝突の衝撃を緩衝し、これにより、ガイド突起１５の衝突音が軽減され、しかも、空気層４５の中で衝突音が共振し合って外部へ伝搬するのを抑えることにより、ガイド突起１５の衝突音を効果的に減音することができる。
【００５４】
ところで、以上の引戸ガイド装置Ｇは、いずれも、扉側ガイドｇ２において、床側ガイドｇ１のガイド突起１５が突き当たる当接部４０には、少なくともガイド突起１５の衝突音を吸収する空気層４５を備えた減音構造になっているが、本発明は、図示しないが、扉側ガイドｇ２において、当接部４０にガイド突起１５が突き当たる外側の部位と内側の部位とで覆った空洞を形成し、その空洞にゴム、ゲル、緩衝液などの衝撃吸収材を内設してガイド突起１５が衝撃吸収材の外側の部位に突き当たると、その衝撃を衝撃吸収材で緩衝することによってのみガイド突起１５の衝突音を減音する構成にすることもできる。
【００５５】
従って、この他例の引戸ガイド装置Ｇでは、引戸の走行時に、ガイド突起が当接部の外側の部位に突き当たると、その衝突の衝撃を衝撃吸収材が吸収することにより緩衝し、これによって、ガイド突起の衝突音を軽減緩和して減音することができる。
【符号の説明】
【００５６】
Ｆ                      床
ｆ                      床面
Ｇ                      引戸ガイド装置
ｇ１                    床側ガイド
ｇ２                    扉側ガイド
Ｍ                      磁石
１０                    引戸
１５                    ガイド突起
２０                    走行溝
２０ａ                  両端溝部
２０ｂ                  中間溝部
４０                    当接部
４５                    空気層
４９                    空洞
５０                    多孔質部材
５１                    スリット
５２                    弾性部
５３                    弾性片
５５                    弾性板部
【図１】
2015113664.tif 000003
【図２】
2015113664.tif 000004
【図３】
2015113664.tif 000005
【図４】
2015113664.tif 000006
【図５】
2015113664.tif 000007
【図６】
2015113664.tif 000008
【図７】
2015113664.tif 000009
【図８】
2015113664.tif 000010
【図９】
2015113664.tif 000011
【図１０】
2015113664.tif 000012
【図１１】
2015113664.tif 000013
【図１２】
2015113664.tif 000014
【図１３】
2015113664.tif 000015
【図１４】
2015113664.tif 000016
【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
引戸を床面との間に隙間を開けて開閉方向に走行自在に吊持する一方、引戸が走行する軌道下の床面に磁力によって出没自在に間隔をおいて挿設した床側ガイドのガイド突起を、引戸の下端面に形成した扉側ガイドの走行溝に突出状態で係合して引戸の走行を案内し、該扉側ガイドが前記ガイド突起を磁力により吸引する磁石と、その磁石を搭載し、長さ方向基端を枢支して揺動可能に片持ちし、長さ方向先端が所定高さ突出した傾き角度位置に係止する吸着台とを有した引戸ガイド装置において、
前記扉側ガイドは、前記走行溝の両端溝部に突出状態で前記ガイド突起が係合すると、その突出状態の前記ガイド突起が突き当たる当接部を備え、該当接部に前記ガイド突起が突き当たる衝突音を共振し合って減音する空気層を形成してなることを特徴とする、引戸ガイド装置。
【請求項２】
前記扉側ガイドにおいて、前記当接部は、前記ガイド突起が突き当たる前記空気層の厚さ方向外側の部位を、前記ガイド突起が突き当たると弾性変形して衝撃を緩衝する厚さに成形してなることを特徴とする、請求項１に記載の引戸ガイド装置。
【請求項３】
前記扉側ガイドにおいて、前記当接部は、前記ガイド突起が突き当たる前記空気層の厚さ方向外側の部位を間に挟んだ幅方向両側に一対のスリットを設け、それらスリット間に前記ガイド突起が突き当たると弾性変形して衝撃を緩衝する弾性部を形成してなることを特徴とする、請求項１に記載の引戸ガイド装置。
【請求項４】
前記扉側ガイドにおいて、前記当接部は、前記ガイド突起が突き当たる前記空気層の厚さ方向外側の部位に外形が舌片状の切り込みを入れて片持ち状態の弾性片を設け、前記ガイド突起が前記弾性片に突き当たると該弾性片が撓んで衝撃を緩衝する構成としてなることを特徴とする、請求項１に記載の引戸ガイド装置。
【請求項５】
前記扉側ガイドにおいて、前記当接部は、前記ガイド突起が突き当たる外側の部位と内側の部位とで覆った空洞を形成し、その空洞に多孔質部材を内設して該多孔質部材の中に含む多数の空穴を空気層として構成してなることを特徴とする、請求項１に記載の引戸ガイド装置。
【手続補正２】
【補正対象書類名】明細書
【補正対象項目名】０００６
【補正方法】変更
【補正の内容】
【０００６】
請求項１に記載の発明は、たとえば以下に示す図示実施の形態のとおり、引戸１０を床面ｆとの間に隙間を開けて開閉方向に走行自在に吊持する一方、引戸１０が走行する軌道下の床面ｆに磁力によって出没自在に間隔をおいて挿設した床側ガイドｇ１のガイド突起１５を、引戸１０の下端面１０ａに形成した扉側ガイドｇ２の走行溝２０に突出状態で係合して引戸１０の走行を案内し、該扉側ガイドｇ２が前記ガイド突起１５を磁力により吸引する磁石Ｍと、その磁石Ｍを搭載し、長さ方向基端を枢支して揺動可能に片持ちし、長さ方向先端が所定高さ突出した傾き角度位置に係止する吸着台１７とを有した引戸ガイド装置Ｇにおいて、前記扉側ガイドｇ２は、前記走行溝２０の両端溝部２０ａに突出状態で前記ガイド突起１５が係合すると、その突出状態の前記ガイド突起１５が突き当たる当接部４０を備え、該当接部４０に前記ガイド突起１５が突き当たる衝突音を共振し合って減音する空気層４５を形成してなることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１７
【補正方法】削除
【補正の内容】